(57)【要約】【課題】ＩＣカード等の媒体を利用した支払い処理の迅速化、設定処理の簡略化を図ることにある。【解決手段】携帯端末装置２で取得した取扱い可能な媒体の情報１２（ロゴマーク画像等）から支払い処理に利用する媒体（ＩＣカードアプリ）の媒体情報を特定し、支払い装置１４（Ｒ／Ｗ装置４０）側へと通知する。これにより、利用者が携帯端末装置及び支払い装置に対して、特定した媒体での支払いを行うための設定操作を簡略化でき、支払い処理を迅速に行うことができる。【選択図】図１
2011108150.tif 000002
【特許請求の範囲】
【請求項１】
取扱い可能な媒体の情報を取得する媒体情報取得部と、
前記媒体情報取得部で取得した前記情報に基づき、媒体情報を特定する媒体情報特定部と、
前記媒体情報特定部で特定された前記媒体情報を無線により支払い装置に通知する通知部と、
を備えることを特徴とする、携帯端末装置。
【請求項２】
更に、前記媒体情報特定部で特定された単一又は複数の前記媒体情報を格納する媒体情報格納部と、
前記媒体情報格納部にある前記媒体情報から支払いに用いる媒体情報を選択し、前記通知部に提供する媒体情報選択部と、
を備えることを特徴とする、請求項１記載の携帯端末装置。
【請求項３】
前記媒体情報格納部に前記媒体情報とともに優先度を表す優先度情報を格納し、前記媒体情報選択部は、前記優先度情報に応じて媒体情報を選択することを特徴とする、請求項２記載の携帯端末装置。
【請求項４】
取扱い可能な媒体の情報を取得するステップと、
取得した前記情報に基づき、媒体情報を特定するステップと、
特定された前記媒体情報を無線により支払い装置に通知するステップと、
を含むことを特徴とする支払い媒体選択方法。
【請求項５】
携帯端末装置に搭載されたコンピュータによって実行される支払い媒体選択プログラムであって、
取扱い可能な媒体の情報を取得する機能と、
取得した前記情報に基づき、媒体情報を特定する機能と、
特定された前記媒体情報を無線により支払い装置に通知する機能と、
を前記コンピュータで実現させることを特徴とする支払い媒体選択プログラム。
【発明の詳細な説明】
【技術分野】
【０００１】
本発明は、ＩＣカード等の媒体による支払いに利用される携帯端末装置に関し、例えば、店頭等から利用可能なカード等の情報を取得し、それを支払い処理に利用する携帯端末装置、支払い媒体選択方法及び支払い媒体選択プログラムに関する。
【背景技術】
【０００２】
ＩＣカード等の電子マネー機能では、ＩＣカードの特定情報を店頭で支払い装置に入力することが不可欠である。このような電子マネー機能を搭載した携帯端末装置にあっても、かざす等の操作により、支払いをするＩＣカードを特定することが行われている。
【０００３】
このようなＩＣカードの選択に関し、予め設定されたＩＣカード機能を優先的に利用して処理するもの（例えば、特許文献１）や、携帯端末装置にある複数のＩＣカード情報を選択するもの（例えば、特許文献２）が知られている。
【先行技術文献】
【特許文献】
【０００４】
【特許文献１】特開２００９−３２１１３号公報
【特許文献２】特開２００９−３９２７号公報
【発明の概要】
【発明が解決しようとする課題】
【０００５】
ところで、ＩＣカード決済等、電子マネーによる支払いの利便性は直接現金を扱わないことや、その支払いの迅速性にある。レジに複数の利用者が列を成している場合等、個々の利用者は取扱いが可能なカードや、支払いに用いるカードが事前に判っていても、支払い段階で取扱いカードを指定したり、選択するための手続きが求められる。このため、支払いに手間取ったり、時間がかかるという課題がある。
【０００６】
また、このＩＣカードによる電子決済を実行するＩＣカードアプリの選択操作で誤操作を生じる恐れがある。このような誤操作によっても、利用者が携帯端末装置等を専用機器にかざすことで支払いが行われてしまうため、利用者の意図しないＩＣカードアプリでの支払い処理が行われてしまうという課題がある。
【０００７】
そこで、本開示の携帯端末装置、支払い媒体選択方法又は支払い媒体選択プログラムの目的は、支払いの簡略化や迅速化を図ることにある。
【課題を解決するための手段】
【０００８】
上記課題を解決するため、本開示の携帯端末装置、支払い媒体選択方法又は支払い媒体選択プログラムでは、取り扱い可能な媒体の情報を取得し、この情報から媒体の種別等を表す媒体情報を特定する。そして、支払い処理では、特定した媒体情報を支払い装置側へと通知することで、支払い処理の迅速化、処理の簡略化等が図られる。
【０００９】
そこで、上記目的を達成するため、本開示の携帯端末装置では、媒体情報取得部と、媒体情報特定部と、通知部とを備える。媒体情報取得部は、取扱い可能な媒体の情報を取得する。媒体情報特定部は、前記媒体情報取得部で取得した前記情報に基づき、媒体情報を特定する。通知部は、前記媒体情報特定部で特定された前記媒体情報を無線により支払い装置に通知する。
【００１０】
また、上記目的を達成するため、本開示の携帯端末装置の支払い媒体選択方法は、情報取得ステップと、媒体情報特定ステップと、通知ステップとを含む。情報取得ステップは、取扱い可能な媒体の情報を取得する。媒体情報特定ステップは、取得した前記情報に基づき、媒体情報を特定する。通知ステップは、特定された前記媒体情報を無線により支払い装置に通知する。
【００１１】
また、上記目的達成するため、本開示の携帯端末装置の支払い媒体選択プログラムは、情報取得機能と、媒体情報特定機能と、通知機能とを含む。情報取得機能は、取扱い可能な媒体の情報を取得する。媒体情報特定機能は、取得した前記情報に基づき、媒体情報を特定する。通知機能は、特定された前記媒体情報を無線により支払い装置に通知する。
【発明の効果】
【００１２】
本開示の携帯端末装置、支払い媒体選択方法又は支払い媒体選択プログラムによれば、次のような効果が得られる。
【００１３】
(1) 支払いに利用可能な媒体の情報を取り込んでその媒体情報を特定しておき、この媒体情報を支払い装置側へと通知することで、特定した媒体による支払いが可能となり、処理の迅速化が図られる。
【００１４】
(2) 支払いに利用する媒体を予め選択し、特定しておくことで、支払い処理時の煩雑な操作が不要となり、支払い処理の迅速化が図られる。
【００１５】
そして、本発明の他の目的、特徴及び利点は、添付図面及び各実施の形態を参照することにより、一層明確になるであろう。
【図面の簡単な説明】
【００１６】
【図１】第１の実施の形態に係る携帯端末装置の機能構成例を示す図である。
【図２】第１の実施の形態に係る支払い媒体の選択処理を示すフローチャートである。
【図３】第２の実施の形態に係る携帯端末装置の機能構成例を示す図である。
【図４】第２の実施の形態に係る支払い媒体の選択処理を示すフローチャートである。
【図５】第３の実施の形態に係るＩＣカードアプリのロゴマークの撮影画面を示す図である。
【図６】撮影順序を優先度とした場合の媒体情報テーブルの例を示す図である。
【図７】携帯電話機とＲ／Ｗ装置とを接近させて通信を行う状態を示す図である。
【図８】第３の実施の形態に係る携帯電話機の機能構成例を示す図である。
【図９】携帯電話機のハードウェア構成例を示す図である。
【図１０】メモリの構成例を示す図である。
【図１１】ＩＣカード通信部のハードウェア構成例を示す図である。
【図１２】携帯電話機の外観構成例を示す図である。
【図１３】携帯電話機の背面側の外観構成例を示す図である。
【図１４】Ｒ／Ｗ装置の構成例を示す図である。
【図１５】携帯電話機とＲ／Ｗ装置による支払い処理を示すシーケンス図である。
【図１６】携帯電話機とＲ／Ｗ装置による支払い処理を示すシーケンス図である。
【図１７】携帯電話機とＲ／Ｗ装置による支払い処理を示すシーケンス図である。
【図１８】携帯電話機とＲ／Ｗ装置による支払い処理を示すシーケンス図である。
【図１９】第４の実施の形態に係る携帯電話機の構成例を示す図である。
【図２０】携帯電話機とＲ／Ｗ装置による支払い処理を示すフローチャートである。
【図２１】他の実施の形態に係るＰＤＡを示す図である。
【図２２】他の実施の形態に係るＰＤＡの背面側の構成例を示す図である。
【図２３】媒体の入力情報の例を示す図である。
【発明を実施するための形態】
【００１７】
〔第１の実施の形態〕
【００１８】
第１の実施の形態は、支払いに利用可能な媒体の情報を取得し、その情報から媒体を特定する。そして、支払い処理において、特定した媒体情報を支払い装置側へと通知する構成である。この媒体は、例えばＩＣカードであり、この媒体の情報は、対応するＩＣカードのロゴマーク、バーコード等の画像データを利用する。
【００１９】
第１の実施の形態について、図１を参照する。図１は、第１の実施の形態に係る携帯端末装置の機能構成例を示す図である。なお、図１に示す構成は一例であって、これに限定されない。
【００２０】
この携帯端末装置２は、本開示の携帯端末装置、支払い媒体選択方法及び支払い媒体選択プログラムを搭載した電子機器の一例である。携帯端末装置２は、電子マネーによるプリペイド機能又はクレジット機能等を備える媒体を利用して支払いを行うことができる。
【００２１】
携帯端末装置２には、支払い機能を構成する媒体として、１又は複数種類のＩＣカード（IC Card ) を備えている。このＩＣカードは、電子マネーやクレジット機能による電子決済を行うためのＩＣカードアプリケーションプログラムによって機能する。これらの支払いが可能な媒体は多数種類があり、携帯端末装置２に複数の媒体を格納しておき、利用者の任意で使い分けることができる。また、例えば、１つの店舗等において、複数種類の媒体による支払いに対応しており、利用者はその媒体を選択して支払いを行うことができる。
【００２２】
この携帯端末装置２の機能部４には、図１に示すように、例えば、媒体情報取得部６、媒体情報特定部８、通知部１０等が構成されている。
【００２３】
媒体情報取得部６は、取り扱い可能な媒体の入力情報１２を取得する手段であり、例えば、画像情報を取得する撮影手段や、音声による媒体の入力情報１２を取得する音声取得手段で構成される。この媒体の入力情報１２は、媒体の情報の一例であって、例えば、ＩＣカードアプリを特定するロゴマークやバーコード、又は名称情報等の表示情報や音声情報等である。
【００２４】
媒体情報特定部８は、媒体の入力情報１２に基づいて、その媒体情報を特定する手段の一例であって、例えば、媒体情報取得部６で取得した画像情報等から、媒体であるＩＣカードを割り出し、特定する。この媒体情報の割り出しには、例えば、画像情報に含まれる媒体の入力情報１２であるロゴマークやバーコードのパターン照合を行う。この媒体情報は、例えば、コンピュータが認識可能な情報であって、ＩＣカードアプリの特定を可能にする情報である。例えば、所定の会社やグループが提供する電子マネーサービスに対応するものであることや、電車やバス等における電子マネーによる支払いに対応する等の情報が含まれている。
【００２５】
通知部１０は、特定した媒体情報を支払い装置１４側へと通知する手段の一例であって、例えば、支払い装置１４側に対し、特定した媒体での支払い処理の設定指示を通知している。この通知部１０は、例えば、非接触式のＩＣカードにおける近距離無線通信で構成されている。また、支払い装置１４は、ＩＣカードＲ／Ｗ（Read／Write)装置で構成されている。そして、携帯端末装置２と支払い装置１４とは、媒体を利用した支払い処理システムを構成している。
【００２６】
次に、携帯端末装置における支払い媒体の選択処理について図２を参照する。図２は、第１の実施の形態に係る支払い媒体の選択処理を示すフローチャートである。なお、図２に示す処理内容、処理手順等は一例であって、これに限定されない。
【００２７】
図２に示す処理は、携帯端末装置の支払い媒体選択方法又は支払い媒体選択プログラムの一例であって、その機能又は工程を段階的に示している。この処理では、取得した媒体の情報から支払いに利用する媒体情報を特定している。そして、その媒体情報について、支払い装置１４側へと通知することで、特定した媒体による支払い可能な状態に設定される。
【００２８】
そこで、媒体の入力情報１２の取得を行う（ステップＳ１）。例えば、媒体情報取得部６の撮影手段等を利用して、媒体を示すロゴマーク等の撮影を行う。この媒体の入力情報１２は、例えば、支払い装置１４等に表示されており、利用者が支払い処理を行う前に画像情報の取得を行う。
【００２９】
次に、媒体の入力情報１２が示している媒体情報の特定を行う（ステップＳ２）。ここでは、媒体の入力情報１２である画像情報等から、そのＩＣカードを特定する処理を行う。即ち、取得した画像等に含まれるロゴマークやバーコード情報等を利用して、ＩＣカードを割り出して認識する。この媒体情報の特定には、後述するように、例えば、携帯端末装置２に登録されたパターンデータ等と画像情報との照合処理を行えばよい。
【００３０】
支払い手段の設定として、利用する媒体情報を支払い装置１４側へと通知する（ステップＳ３）。例えば、携帯端末装置２を支払い装置１４側に近付けることで、通知部１０によって支払い装置１４側との間で近距離無線通信が行われ、携帯端末装置２側から支払い装置１４側へと媒体情報が送信される。これにより、支払い装置１４側では、受信した媒体情報に基づいて、その媒体を利用した支払い処理を開始するための準備を行う。例えば、該媒体に対応した支払い処理プログラムの起動等を行う。
【００３１】
これらの処理が完了することで、特定した媒体を利用した支払い処理を行うことができる。
【００３２】
斯かる構成によれば、利用する媒体の情報から媒体情報を特定しておき、支払い装置側へと通知することで支払いが可能となり、また、支払い処理時の煩雑な操作が不要となり、支払い処理の迅速化が図られる。
【００３３】
〔第２の実施の形態〕
【００３４】
第２の実施の形態は、第１の実施の形態に示す構成に加え、特定した媒体情報を格納し、支払い処理において、その格納した媒体情報に対して選択処理等を含む。
【００３５】
第２の実施の形態について、図３を参照する。図３は、第２の実施の形態に係る携帯端末装置の機能構成例を示す図である。なお、図３に示す構成は一例であって、これに限定されるものではない。また、図３において、図１と同一構成に対して同一符号を付し、その説明を省略する。
【００３６】
携帯端末装置２の機能部４は、本開示の携帯端末装置、支払い媒体選択方法及び支払い媒体選択プログラムの構成例であって、第１の実施の形態に対して、複数の媒体の情報を取り込み可能にしている。そして、支払い処理において、特定した媒体情報から利用する媒体の選択を行う。そこで、この機能部４には、図３に示すように、例えば、媒体情報取得部６、媒体情報特定部８、通知部１０に加え、媒体情報格納部１６、媒体情報選択部１８が構成されている。
【００３７】
媒体情報格納部１６は、特定された媒体情報を格納し、保持する手段の一例であって、媒体情報特定部８で特定された１又は複数の媒体情報を格納している。また、この媒体情報格納部１６では、特定された媒体情報とともに、媒体情報の選択基準となる優先度を表す優先度情報も格納している。この優先度情報は、例えば、格納された複数の媒体情報に対してそれぞれ付与されており、支払い処理において利用する媒体情報の選択基準を示している。優先度情報として、例えば、媒体情報取得部６によって媒体の入力情報１２を取得（撮影）した順番を示す情報を利用する。その他、例えば、日時情報、特定された媒体の過去の使用履歴情報等を利用してもよい。
【００３８】
特定した媒体情報への優先度情報の付与は、例えば、媒体情報特定部８によって媒体情報を特定したとき、又は媒体情報格納部１６により、媒体情報を格納するときに付与してもよい。
【００３９】
媒体情報選択部１８は、特定された媒体情報を選択する選択機能の一例であって、媒体情報格納部１６に格納された媒体情報に対し、優先度情報に応じて、支払い処理に利用する媒体情報を選択する。そして、選択した媒体情報を通知部１０側へと提供することで、支払い処理を可能にする。
【００４０】
なお、この実施の形態では、複数の媒体の入力情報１２を取り込んだ場合に限られるものではなく、１つの媒体の入力情報１２のみを特定した場合にも適用できる。そして、特定した媒体情報が１つであった場合には、例えば、媒体情報格納部１６に格納する場合において、優先度情報を付与しないか、又は最も優先順位の高い優先度情報を付与すればよい。
【００４１】
次に、支払い媒体の選択処理について、図４を参照する。図４は、第２の実施の形態に係る支払い媒体の選択処理を示すフローチャートである。なお、図４に示す処理内容、処理手順は一例であって、これに限定されない。また、図４において、図２と同一処理については説明を省略する。
【００４２】
この支払い媒体の選択処理は、既述の媒体情報の特定に加え、その媒体情報から支払い処理に利用する媒体を選択する処理を含み、その選択した媒体情報を支払い装置側に通知する。
【００４３】
図４に示す媒体の情報の取得（ステップＳ１１）及び媒体情報の特定（ステップＳ１２）の処理は、図２のステップＳ１〜ステップＳ２に対応しており、同様の処理を行えばよい。
【００４４】
そして、ステップＳ１２で特定した媒体情報を媒体情報格納部１６を構成する例えば、メモリに格納する（ステップＳ１３）。この格納処理において、例えば、複数の媒体情報が特定される場合には、この媒体情報毎に優先度情報を併せて格納する。
【００４５】
なお、既述のように、複数の媒体に適用する場合には、ステップＳ１１〜ステップＳ１３の処理を繰り返し行えばよい。
【００４６】
支払いを行う媒体の設定に移行すると、媒体情報選択部１８は、設定された優先度情報に基づき、媒体情報格納部１６に格納されている媒体情報から支払い処理に利用する媒体情報を選択し（ステップＳ１４）、通知部１０へと提供する。そして、通知部１０は、支払い装置１４側に対して、選択された媒体情報を通知する（ステップＳ１５）ことで、支払い可能な状態に設定される。
【００４７】
斯かる構成によれば、第１の実施の形態と同様に支払い処理の迅速化が図られる。また、利用者が支払い処理に利用するとして取り込んだ複数の媒体の入力情報１２に対して、所定の優先度情報に基づいて使用媒体が選択されるので、設定操作の省略化が図られる。
【００４８】
〔第３の実施の形態〕
【００４９】
第３の実施の形態は、携帯端末装置及び支払い装置の具体的な構成例である。この実施の形態では、支払い処理に用いる媒体であるＩＣカードは、例えば、実行するＩＣカードアプリによって特定している。
【００５０】
第３の実施の形態の構成について、図５、図６及び図７を参照する。図５は、第３の実施の形態に係るＩＣカードアプリのロゴマークの撮影画面を示す図、図６は、撮影順序を優先度とした場合の媒体情報テーブルの例を示す図、図７は、携帯電話機とＲ／Ｗ装置とを接近させて通信を行う状態を示す図である。なお、図５、図６及び図７に示す構成は一例であって、これに限定されない。
【００５１】
この携帯電話機２０は、携帯端末装置２、支払い媒体選択方法又は支払い媒体選択プログラムの一例である。そこで、支払い媒体であるＩＣカードアプリの情報を取得する撮影機能、この情報からＩＣカードアプリを特定する機能、特定されたＩＣカードアプリの媒体情報を選択する機能、支払い装置側に媒体情報を通知する機能等を備える。
【００５２】
ＩＣカードアプリの情報を取得する機能構成として、この携帯電話機２０には、図５に示すように、撮影対象や撮影した画像を表示する表示部２２、撮影操作等の携帯電話機２０に対する入力を行うキー操作部２４等を備える。
【００５３】
提示されているＩＣカードアプリの情報を取得する手段として、例えば、カメラ７０（図９）等での撮影により、ＩＣカードアプリの媒体の入力情報１２を含む画像情報を取り込む。ロゴマーク２６は、支払い処理に利用可能なＩＣカードアプリを示す媒体の入力情報１２であり、このロゴマーク２６を含む画像情報を取り込み、携帯電話機２０がＩＣカードアプリを特定する。
【００５４】
表示部２２の中央部には、例えば、撮影対象を特定する特定枠２８が設定されている。また、表示部２２には、キー操作部２４の決定キー３０に対応した撮影カーソル３２が表示されている。この表示部２２は、例えば、タッチパネルで構成してもよく、決定キー３０の押下、又は、表示部２２上の撮影カーソル３２に指を接触させることで撮影が実行できる。
【００５５】
媒体の入力情報１２の取得として、例えば、利用者がこの特定枠２８に例えば、ロゴマーク２６が入るようにカメラ７０を設定操作し、又は撮影操作を行うことで、ＩＣカードアプリの情報を取得する。即ち、特定枠２８内にある画像は利用者によってＩＣカードアプリを示す媒体の入力情報１２と認識されたものであって、例えば、この画像を登録されている画像パターンと形状比較等することでＩＣカードアプリの特定を行う。これにより、コンピュータが認識可能なＩＣカードアプリの媒体情報が得られる。
【００５６】
取得した（特定した）ＩＣカードアプリの媒体情報は、図６に示すように、例えば、媒体情報テーブル３４を作成して保持する。この媒体情報テーブル３４は、コンピュータが認識可能なデータテーブルであり、画像情報から特定された１又は複数のＩＣカードアプリの種別情報が保持される。この媒体情報テーブル３４には、例えば、媒体情報欄３６及びＩＣカードアプリの優先度情報欄３８が設定されており、後述するように、この優先度情報に基づいて、支払い処理に利用するＩＣカードアプリが選択される。また、媒体情報テーブル３４では、例えば、利用者によるロゴマークの撮影順序を優先度として設定している。その他、例えば、ＩＣカードアプリの使用頻度や残金情報、日時情報等に基づいて優先度を設定してもよい。
【００５７】
携帯電話機とＲ／Ｗ装置との通信操作について、ＩＣカードアプリによる支払い処理は、図７に示すように、携帯電話機２０のＩＣカード装着面側を支払い装置であるＲ／Ｗ装置４０側へと接近させることで行う。このように、携帯端末装置２０をＲ／Ｗ装置４０側へと接近させることで、Ｒ／Ｗ装置４０側から携帯電話機２０側へと搬送波が送信される。この搬送波には、例えば、利用する媒体の問い合せ、支払い処理の実行指示、携帯電話機２０側からＲ／Ｗ装置４０に対するＩＣカードアプリの情報通知や、Ｒ／Ｗ装置４０側に対し、選択したＩＣカードアプリへの対応指示等の通信を行う。
【００５８】
次に、支払い媒体の選択を行う携帯電話機の機能構成について、図８を参照する。図８は、第３の実施の形態に係る携帯電話機の機能構成例を示す図である。なお、図８に示す構成及び処理内容等は一例であって、これに限定されない。
【００５９】
既述の機能を実現するため、この携帯電話機２０には、図８に示すように、例えば、撮像機能部４２、ＩＣカードアプリ決定部４４、ＩＣカードアプリ種別パターン情報データベース（ＤＢ）４６、ＩＣカードアプリ格納部４８、ＩＣカードアプリ自動選択機能部５０、ＩＣカード通信機能部５２を備える。
【００６０】
撮像機能部４２は、ＩＣカードアプリの情報を含む画像等を取得する画像情報取得手段の一例であって、カメラ７０等を備え、既述の媒体情報取得部６（図１）を構成する。ＩＣカードアプリの情報は、例えば、媒体の入力情報１２を表すロゴマーク２６等を利用する。これらの情報は、例えば、店内の所定の場所や、支払い処理を行うＲ／Ｗ装置４０の周辺等に提示させればよい。
【００６１】
図８に示すように、種別の異なる複数のＩＣカードアプリの情報を含む画像情報として、例えば画像Ａ、Ｂが撮影されており、それらの画像情報には、例えば、撮影順や撮影日時の情報が付加される。そして、その画像情報を取得したら、ＩＣカードアプリ決定部４４に送信する。
【００６２】
ＩＣカードアプリ決定部４４は、取り込んだ画像情報に含まれる媒体の入力情報１２からＩＣカードアプリ情報を特定する手段の一例であって、既述の媒体情報特定部８に対応する。ＩＣカードアプリ情報は、既述のコンピュータが認識可能な媒体情報であって、例えば、ＩＣカードアプリの種別情報等を含む。
【００６３】
ＩＣカードアプリ情報の特定処理では、例えば、ＩＣカードアプリ種別パターン情報ＤＢ４６にある種別パターン情報と画像情報に含まれるロゴマークとの形状照合を行う。そして、対応するＩＣカードアプリ情報が特定されると、ＩＣカードアプリ決定部４４は、例えば、媒体情報テーブル３４（図６）を作成する。
【００６４】
ＩＣカードアプリ種別パターン情報ＤＢ４６は、ＩＣカードアプリの種別を割り出すための照合情報等を保持する手段の一例であって、例えば、ＩＣカードアプリを示すロゴマーク等の画像パターンの他、後述するバーコードやＱＲコード等の識別パターン情報等が記録されている。そして、例えば、ＩＣカードアプリ決定部４４からの指示情報に応じて種別パターン情報を提供する。
【００６５】
ＩＣカードアプリ格納部４８は、ＩＣカードアプリ決定部４４で特定されたＩＣカードアプリ情報を保持する手段の一例であって、既述の媒体情報格納部１６（図３）に対応する。ＩＣカードアプリ格納部４８では、例えば、ＩＣカードアプリ決定部４４で作成された媒体情報テーブル３４を受け取り、保持する。そして、例えば、支払い処理において、Ｒ／Ｗ装置４０側に対し、媒体情報テーブル３４を提示し、又はこの媒体情報テーブル３４に基づいてＩＣカードアプリ情報を通知する。
【００６６】
ＩＣカードアプリ自動選択機能部５０は、使用するＩＣカードアプリを選択する手段の一例であり、ＩＣカードアプリ格納部４８から所定の条件等に従ってＩＣカードアプリの選択を行う。このＩＣカードアプリ自動選択機能部５０は、既述の媒体情報選択部１８（図３）に対応する。例えば、ＩＣカード通信機能部５２でＲ／Ｗ装置４０からの搬送波を受信したら、ＩＣカードアプリ情報を通知する応答処理に移行する。このＲ／Ｗ装置４０からの搬送波には、例えば、利用するＩＣカードアプリの問い合せ情報が含まれる。このとき、未だ使用するＩＣカードアプリが指定されていない、又は不明である場合、ＩＣカードアプリ格納部４８からＩＣカードアプリ情報を選択して、Ｒ／Ｗ装置４０側に通知する。その他、後述するように、選択したＩＣカードアプリが支払い処理に利用できない場合には、例えば、既述の優先度に基づいて、他のＩＣカードアプリの選択を行う。
【００６７】
ＩＣカード通信機能部５２は、通信手段の一例であって、既述の通知部１０（図１）に対応している。そして、Ｒ／Ｗ装置４０側に対して、ＩＣカードアプリ自動選択機能部５０から受け取ったＩＣカードアプリ情報をＲ／Ｗ装置４０側へと通知する等、Ｒ／Ｗ装置４０側との間でデータ通信等を行う。
【００６８】
そして、携帯電話機２０とＲ／Ｗ装置４０とによって、支払い処理システムが構成される。
【００６９】
次に、図８に示す構成において、複数のＩＣカードアプリの情報が提示されている場合のＩＣカードアプリの選択処理の例について説明する。
【００７０】
利用者は、例えば、ＩＣカードアプリ「ＩＣ−Ａ」と「ＩＣ−Ｂ」の情報を含む画像Ａと画像Ｂとをカメラ７０（図９）で取り込む。このとき、取り込んだ画像情報には、例えば、それぞれに、撮影順を示す「０１」、「０２」の情報を記録する。
【００７１】
この撮影順の情報は、携帯電話機２０に複数のＩＣカードアプリが設定されている場合に、ＩＣカードアプリ自動選択機能部５０によるＩＣカードアプリの優先度情報の一例である。
【００７２】
取り込んだ画像Ａ及び画像ＢはＩＣカードアプリ決定部４４において、その種別等を示す媒体情報が特定される。そして、その媒体情報とともに対応する優先度情報について、コンピュータによる読み取り可能な媒体情報テーブル３４が作成され、ＩＣカードアプリ格納部４８に保管される。
【００７３】
なお、優先度情報は、撮影順序や日時情報に限られず、例えば、ＩＣカードアプリの種別に基づいて設定された優先条件、残金や使用頻度等による条件、利用者が手動で設定した条件を付けてもよい。これらの条件に基づく優先度情報は、例えば、ＩＣカードアプリを特定するＩＣカードアプリ決定部４４において設定すればよい。
【００７４】
そして、支払い処理において、Ｒ／Ｗ装置４０等に対し、ＩＣカードアプリ自動選択機能部５０は、上記の優先度情報に基づいてＩＣカードアプリ情報を選択して通知する。
【００７５】
このＩＣカードアプリ情報を受信したＲ／Ｗ装置４０では、例えば、通知されたＩＣカードアプリに対応する設定処理を行う。設定処理が完了すると、支払い指示を携帯電話機２０側へと通知し、斯かるＩＣカードアプリでの支払い処理が行われる。
【００７６】
次に、携帯電話機の構成について、図９、図１０、図１１、図１２及び図１３を参照する。図９は、携帯電話機のハードウェア構成例を示す図、図１０は、メモリの構成例を示す図、図１１は、ＩＣカード通信部の構成例を示す図、図１２は、携帯電話機の外観構成例を示す図、図１３は、携帯電話機の背面側の外観構成例を示す図である。なお、図９、図１０、図１１、図１２及び図１３に示す構成は一例であって、これに限定されるものではない。また、図９、図１０、図１１、図１２及び図１３において、図８等と同一構成には同一符号を付してある。
【００７７】
この携帯電話機２０は、既述の機能を実現するため、図９に示すように、ＣＰＵ（Central Processing Unit ）６０、メモリ６２、ＩＣカード通信部６４、無線部６６、操作入力部６８、表示部２２、カメラ７０等を備える。
【００７８】
ＣＰＵ６０は、メモリ６２に記憶されているＯＳ（Operating System）や、その他の制御プログラム等を演算し実行するための演算手段の一例であって、携帯電話機２０の制御部を構成する。そして、この制御プログラムの演算により、既述のように、取得した画像からＩＣカードアプリの媒体情報の特定やＩＣカードアプリの選択処理を実行する。
【００７９】
メモリ６２は、記憶手段又は記録手段の一例であって、例えば、携帯電話機２０の動作等を制御するＯＳや、その他の制御プログラム等、取得した画像情報やＩＣカードアプリ情報等を記録している。メモリ６２の構成は、図１０に示すように、例えば、プログラム記憶部６２２、データ記憶部６２４、ＲＡＭ（Random Access Memory）６２６等で構成されている。
【００８０】
プログラム記憶部６２２は、携帯電話機２０の動作制御やＩＣカードアプリ情報の特定処理、ＩＣカードアプリの選択処理等を実行するためのプログラムを記憶する手段の一例であって、例えば、ＲＯＭ（Read Only Memory）で構成される。
【００８１】
データ記憶部６２４は、取得した画像情報やＩＣカードアプリの特定処理に利用するＩＣカードアプリの種別パターン情報を記録する手段、又は特定したＩＣカードアプリ情報を記憶する手段の一例であって、例えば、ＲＯＭやフラッシュメモリ等で構成されている。そして、既述のＩＣカードアプリ格納部４８や、ロゴマークやバーコードのパターン情報等が格納されたＩＣカードアプリ種別パターン情報ＤＢ４６等を構成する。
【００８２】
なお、このプログラム記憶部６２２やデータ記録部６２４は、例えば、電気的に内容を書き換えることができるＥＥＰＲＯＭ（Electrically Erasable and Programmable Read Only Memory ）等で構成されてもよい。
【００８３】
また、上記の各処理プログラムやＩＣカードアプリの種別パターン情報は、プログラム記憶部６２２やデータ記憶部６２４等に記憶されたものに限られない。例えば、磁気ディスク、フレキシブルディスク、光ディスク、光磁気ディスク等のコンピュータで読出し可能な記録媒体に記憶されているものを利用してもよい。さらに、ネットワーク上にあるサーバやデータベース等からプログラム等を読み込んで利用してもよい。
【００８４】
ＲＡＭ６２６は、上記の制御プログラム等を実行させるためのワークエリアを構成している。そして、ＣＰＵ６０による制御プログラムを実行することで、既述のＩＣカードアプリ決定部４４、ＩＣカードアプリ自動選択機能部５０として機能する。また、カメラ７０やＩＣカード通信部６４等に対する動作制御指示等を行う。
【００８５】
ＩＣカード通信部６４は、電子マネー等の情報を記録し、支払い処理プログラムを利用したプリペイド機能又はクレジット機能等による支払い処理が実行可能な構成あり、図１１に示すように、例えば、ＣＰＵ８０、ＲＯＭ８２、ＲＡＭ８４、無線部８６等で構成されている。このＩＣカード通信部６４は、例えば、ＩＣチップで構成されている。
【００８６】
ＣＰＵ８０は、ＩＣカード機能を実行する演算手段の一例であって、例えば、ＩＣカード通信部６４の機能制御、Ｒ／Ｗ装置４０との間で送受される搬送波の解析処理等に関するプログラムの実行を行う。
【００８７】
ＲＯＭ８２は、ＩＣカード機能の制御プログラム等の記録手段の一例である。ＲＡＭ８４は、ＩＣカード機能のプログラムの実行処理等を行うワーキングエリアの一例である。
【００８８】
無線部８６は、アンテナ８８を備え、例えば、非接触形式、ＲＦＩＤ（Radio Frequency IDentification）技術を利用して外部の読取り装置との間でデータの送受信を行う。これにより、ＩＣカード通信部６４を読取り装置であるＲ／Ｗ装置４０にかざすことで、ＩＣカードアプリ情報を通知し、支払い処理を実行する。このＩＣカード通信部６４として、例えば、Felica（登録商標）等を利用してもよい。
【００８９】
また、携帯電話機２０の無線部６６は、無線通信を行うためのアンテナ７２を備えており、電話機能やメール等のデータ通信機能を備える。また、ネットワークへの接続機能等を備えている。
【００９０】
操作入力部６８は、携帯電話機２０の情報入力手段であって、キーパッド部を備え、文字等の記号入力キーや表示情報を選択するカーソルキーや、選択された情報を決定する決定キー３０等を備え、既述のキー操作部２４を構成する。
【００９１】
表示部２２は、画面表示が可能なＬＣＤ（Liquid Crystal Display) 表示素子等で構成された表示手段であって、例えば、ＩＣカードアプリの種別情報の撮影画像の表示等を行う。
【００９２】
なお、携帯電話機２０の表示部２２と操作入力部６８とを併せて、所謂タッチパネル方式の表示部を利用してもよい。
【００９３】
携帯電話機２０は、図１２に示すように、例えば、表示側筐体部９０と操作側筐体部９２とがヒンジ９４によって開閉可能に連結されている。表示側筐体部９０には、表示部２２、レシーバ９６等が備えられている。操作側筐体部９２には、操作入力部６８、マイクロフォン９８が備えられ、操作入力部６８には、カーソルキー１００、決定キー３０等が備えられている。
【００９４】
また、携帯電話機２０の背面側には、図１３に示すように、表示側筐体部９０にカメラ７０が設置され、また、操作側筐体部９２には、ＩＣチップ等で構成されたＩＣカード通信部６４が設置されている。
【００９５】
次に、Ｒ／Ｗ装置４０の構成例について、図１４を参照する。図１４は、Ｒ／Ｗ装置の構成例を示す図である。なお、図１４に示す構成は一例であって、これに限定されない。
【００９６】
Ｒ／Ｗ装置４０は、支払い装置の一例であって、例えば、Ｒ／Ｗ装置４０からの搬送波により携帯電話機２０に設置されたＩＣカード通信部６４に対してデータの読み取り、又は書込みを行う手段である。このＲ／Ｗ装置４０には、例えば、携帯電話機２０のＩＣカード通信部６４との通信を行う通信部１０２と、ＩＣカードアプリの設定処理、支払い処理等を行う制御部１０４とを備えている。
【００９７】
通信部１０２は、例えば、所定の規格に従った搬送波（キャリア）をＩＣカード通信部６４側に送信して、データの授受を行う手段である。
【００９８】
制御部１０４は、Ｒ／Ｗ装置４０の起動制御、ＩＣカード通信部６４に対する通信制御等を行う手段である。この制御部１０４には、例えば、ＩＣカードアプリによる支払い処理を制御する決済管理部１０６が構成されており、通信部１０２を介してＩＣカード通信部６４側に対し、ＩＣカードアプリの問い合せや支払い（決済）処理の実行等を行う。この制御部１０４は、例えば、動作制御プログラムを実行するＣＰＵ、決済管理部１０６を構成するプログラムを動作させるＲＡＭ等で構成されている。
【００９９】
このような構成において、携帯電話機２０のＩＣカード通信部６４をＲ／Ｗ装置４０の通信部１０２側に近付けることで搬送波によるデータ通信を行う。そして、ＩＣカードアプリの設定の読み取りや電子マネーに関する情報の書込み処理等を行う。
【０１００】
次に、ＩＣカードアプリの自動選択処理及び支払い処理について、図１５、図１６、図１７及び図１８を参照する。図１５〜図１８は、携帯電話機とＲ／Ｗ装置による支払い処理を示すシーケンス図である。なお、図１５〜図１８に示す処理手順、処理内容は一例であって、これに限定されない。また、図１５〜図１８における１〜１５の符号は連結子を表している。
【０１０１】
この処理は、携帯端末装置の支払い媒体選択方法、又は支払い媒体選択プログラムの一例である。そして、携帯電話機２０側におけるＩＣカードアプリの媒体情報の特定処理、Ｒ／Ｗ装置４０からの支払い（決済）指示に基づくＩＣカードアプリの選択処理、Ｒ／Ｗ装置４０側への通知処理を行う。
【０１０２】
携帯電話機２０では、使用するＩＣカードアプリの決定依頼を受ける（ステップＳ２１）。この決定依頼は、例えば、利用者による操作指示、又は撮影操作が行われる。携帯電話機２０のＩＣカードアプリ決定部４４では、この決定依頼に基づき、媒体の入力情報１２の取込み処理として、撮影したＩＣカードアプリ（ＩＣ−Ａ）のロゴマーク画像Ａを取得する。この画像Ａには、例えば、撮影順を示す「０１」の情報が付与されている。
【０１０３】
取得した画像情報を利用して、媒体情報を示すＩＣカードアプリの種別を割り出す（ステップＳ２２）。この処理では、ＩＣカードアプリ種別バターン情報ＤＢ４６から種別パターン情報を読み出し、画像Ａに含まれるＩＣカードアプリのロゴマーク（媒体の入力情報１２）と照合を行う（ステップＳ２３）。この照合処理により、特定された「ＩＣ−Ａ」の媒体情報が得られる（ステップＳ２４）。このＩＣカードアプリの媒体情報、及び撮影順情報は、コンピュータが認識可能な形式でＩＣカードアプリ格納部４８に保管される（ステップＳ２５）。ＩＣカードアプリの媒体情報は、例えば、既述のように、ＩＣカードアプリの媒体情報テーブル３４を作成すればよい。
【０１０４】
１つ目のＩＣカードアプリの特定処理が終わると、次のＩＣカードアプリの特定に移行する。上記と同様にＩＣカードアプリの決定依頼を受け（ステップＳ２６）、撮影したＩＣカードアプリ（ＩＣ−Ｂ）のロゴマーク画像Ｂを取得する。この画像Ｂには、例えば、撮影順を示す「０２」の情報が付与されている。このＩＣカードアプリの特定、及びその媒体情報の格納処理は、上記のステップＳ２２〜ステップＳ２５と同様に行えばよい。
【０１０５】
なお、ここでは、各ＩＣカードアプリ毎に、媒体の入力情報１２の取り込みと、媒体情報の特定を行っているが、これに限られず、例えば、複数のＩＣカードアプリについて、画像を取り込み、その後にＩＣカードアプリの特定、優先度情報の設定をまとめて行ってもよい。
【０１０６】
次に、携帯電話機２０及びＲ／Ｗ装置４０におけるＩＣカードアプリの設定処理に移行する。この処理は、例えば、利用者が携帯電話機２０をＲ／Ｗ装置４０にかざす等、接近したことを契機に開始する。
【０１０７】
Ｒ／Ｗ装置４０の決済管理部１０６が決済の開始要求を出力し（ステップＳ２７）、通信部１０２からの搬送波によって携帯電話機２０側へと送信する（ステップＳ２８）。この決済開始要求には、例えば、支払いに利用するＩＣカードアプリ情報の通知要求が含まれる。
【０１０８】
携帯電話機２０のＩＣカード通信機能部５２では、Ｒ／Ｗ装置４０からの決済開始要求を受信したとき、使用するＩＣカードアプリが未設定で不明と判断し（ステップＳ２９）、ＩＣカードアプリ自動選択機能部５０に対してＩＣカードアプリの種別要求を出力する（ステップＳ３０）。
【０１０９】
ＩＣカードアプリ自動選択機能部５０では、上記指示を受けてＩＣカードアプリの選択処理に移行する（ステップＳ３１）。この処理では、ＩＣカードアプリ格納部４８にアクセスし、特定したＩＣカードアプリの媒体情報を選択する（ステップＳ３２）。複数のＩＣカードアプリの媒体情報が保管されている場合には、設定された優先度情報に基づいて選択を行う。ここでは、一例として、撮影順序が優先度として設定されており、ＩＣカードアプリ「ＩＣ−Ａ」を選択する（ステップＳ３３）。
【０１１０】
そして、ＩＣカードアプリ格納部４８に対して、選択したＩＣカードアプリ（ＩＣ−Ａ）の媒体情報の削除指示を出力する（ステップＳ３４）。また、選択した媒体情報をＩＣカード通信機能部５２側へと通知し（ステップＳ３５）、そのデータを搬送波に乗せてＲ／Ｗ装置４０側へと送信する（ステップＳ３６）。Ｒ／Ｗ装置４０側では、通信部１０２が媒体情報を受信すると、決済管理部１０６に対して、受信したＩＣカードアプリ（ＩＣ−Ａ）での決済リトライの要求をする（ステップＳ３７）。即ち、この決済リトライの要求（ステップＳ３５〜ステップＳ３７）は、携帯電話機２０側からＲ／Ｗ装置４０に対して、指定したＩＣカードアプリを利用可能な状態に設定させ、決済処理を開始させるための指示出力である。
【０１１１】
決済管理部１０６では、再度、決済開始要求を出力する（ステップＳ３８）。このとき、Ｒ／Ｗ装置４０は、携帯電話機２０側から指定されたＩＣカードアプリ（ＩＣ−Ａ）に設定されている。この決済開始要求は、通信部１０２の搬送波により携帯電話機２０側へと送信される（ステップＳ３９）。
【０１１２】
そして、携帯電話機２０では、この決済開始要求を受け、支払い処理に移行する（ステップＳ４０）。
【０１１３】
この支払い処理では、設定したＩＣカードアプリ（ＩＣ−Ａ）が携帯電話機２０において利用できない場合（ステップＳ４１）の例を示している。例えば、携帯電話機２０側に対応するＩＣカードアプリが記憶されていない場合、又は、選択したＩＣカードアプリを記憶しているが、例えば、利用可能な残金が支払い金額に達しないため支払い処理が行えない場合等を示している。
【０１１４】
上記のように、ＩＣカード通信機能部５２からＩＣカードアプリの起動指示を行っても選択したＩＣカードアプリが利用できない場合には、ＩＣカードアプリ自動選択機能部５０に対して、新たなＩＣカードアプリの種別要求が出力される（ステップＳ４２）。ＩＣカードアプリ自動選択機能部５０では、再びＩＣカードアプリの選択を行う（ステップＳ４３）。この選択処理では、ＩＣカードアプリ格納部４８にアクセスし（ステップＳ４４）、例えば、既述の媒体情報テーブル３４等から、優先度情報に基づいてＩＣカードアプリを選択する。例えば、次に優先度が高いＩＣカードアプリ「ＩＣ−Ｂ」を選択する（ステップＳ４５）。
【０１１５】
選択したＩＣカードアプリ「ＩＣ−Ｂ」の媒体情報をＩＣカード通信機能部５２側へと通知し（ステップＳ４６）、そのデータを搬送波に乗せてＲ／Ｗ装置４０の通信部１０２へと通知する（ステップＳ４７）。通信部１０２は、決済管理部１０６に対して指定されたＩＣカードアプリ（ＩＣ−Ｂ）による決済処理を開始させるためのリトライ要求を行う（ステップＳ４８）。
【０１１６】
リトライ要求を受け、決済管理部１０６では、ＩＣカードアプリ「ＩＣ−Ｂ」に対応設定し、決済開始要求を発し（ステップＳ４９）、通信部１０２からの搬送波によってＩＣカード通信機能部５２側へと通知する（ステップＳ５０）。
【０１１７】
決済開始要求を受け、ＩＣカード通信機能部５２では、選択したＩＣカードアプリ「ＩＣ−Ｂ」の起動に移行する。「ＩＣ−Ｂ」が起動により支払い処理を行う（ステップＳ５１）。
【０１１８】
そして、支払い処理が完了すると、ＩＣカード通信機能部５２からＩＣカードアプリ自動選択機能部５０に対して完了通知が出力される（ステップＳ５２）。ＩＣカードアプリ自動選択機能部５０は、この完了通知を契機にＩＣカードアプリ格納部４８の媒体情報テーブル３４の削除指示を行う（ステップＳ５３）。
【０１１９】
以上の処理によって、携帯電話機２０及び、Ｒ／Ｗ装置４０におけるＩＣカードアプリの自動選択処理及び支払い処理が完了する。
【０１２０】
なお、新たに選択した「ＩＣ−Ｂ」についても利用できない場合には、同様に媒体情報テーブル３４から次のＩＣカードアプリの選択を繰り返し行えばよい。
【０１２１】
斯かる構成によれば、ＩＣカードアプリの情報を取り込むことで、使用可能なＩＣカードアプリの特定、選択が可能となり、設定操作の省略化が図られる。また、支払い処理において、再度、ＩＣカードアプリの設定操作や、口頭による設定指示等が不要となり、処理の迅速化が図られる。
【０１２２】
上記の第１、第２及び第３の実施の形態について、特徴事項、利点又は変形例等を列挙する。
【０１２３】
(1) 本開示の携帯端末装置は、例えば、ＩＣカード機能を搭載した携帯電話機であって、例えば、ＩＣカードアプリ自動選択機能によって、支払いに利用するＩＣカードアプリの選択操作を省略することができる。
【０１２４】
(2) 本開示の携帯端末装置では、取得したＩＣカードアプリの媒体の情報を比較データと照合してＩＣカードアプリの特定を行う。
【０１２５】
(3) ＩＣカードアプリは、例えば、入力・取得した順序、もしくは使用頻度等を利用して優先度情報を設定し、その優先度情報に基づいて選択を行う。
【０１２６】
(4) Ｒ／Ｗ装置４０からの搬送波を受信したときに、使用するＩＣカードアプリが指定されていない、もしくは不明の場合、ＩＣカードアプリ自動選択機能部５０が選択したＩＣカードアプリの媒体情報をＲ／Ｗ装置４０側へと通知する。これにより、利用するＩＣカードアプリを選択し、Ｒ／Ｗ装置４０側に対する設定処理について、利用者の設定操作を省略できる。
【０１２７】
(5) 支払い処理を行う利用者が既に使用するＩＣカードアプリを決めているにも拘らず、レジ等の専用端末に対して選択操作、又は店員に口頭で選択指示を伝える等の必要がなくなり、煩わしさを感じさせず、支払い処理の迅速化を図ることができる。
【０１２８】
(6) 携帯電話機２０のＩＣカードアプリの特定では、利用者によってＩＣカードアプリの画像等の識別情報を取り込む構成である。これにより、例えば、利用者や店員等の設定操作の過誤、又は伝達過誤により、意図しないＩＣカードアプリが設定されることがない。
【０１２９】
(7) 既述のように、上記の携帯電話機２０は、ＩＣカードアプリ自動選択機能を備え、支払い処理の前に、使用するＩＣカードアプリを決定することができる。そして、利用者によるＩＣカードアプリの設定操作を行うことなく、支払い装置に対応したＩＣカードアプリによる支払いを自動的に行うことが可能となる。
【０１３０】
(8) ＩＣカードアプリの特定に関し、利用者はロゴマーク等によって使用したいＩＣカードアプリの特定ができるので、使用可能なＩＣカードアプリの種類が増加しても、ＩＣカードアプリの選択の過誤を減少させることができる。
【０１３１】
〔第４の実施の形態〕
【０１３２】
第４の実施の形態は、特定した媒体情報に対応したＩＣカードアプリが利用可能であるか否かの判断処理を含む構成である。即ち、上記実施の形態で示したように、支払い処理の段階において選択したＩＣカードアプリが利用可能であることを確認するのではなく、媒体情報の特定処理において、利用可能か否かの判断を行う。
【０１３３】
第４の実施の形態について、図１９を参照する。図１９は、第４の実施の形態に係る携帯電話機の構成例を示す図である。図１９に示す構成は一例であって、これに限定されない。なお、図１９において、図８と同一部分には同一符号を付してある。
【０１３４】
この実施の形態における携帯電話機２０は、既述の構成に加え、ＩＣカードアプリ記録部１１０を備えている。そして、特定したＩＣカードアプリの媒体情報に対応するＩＣカードアプリが利用可能か否かの処理を含む。利用可能か否かの判断は、例えば、対応するＩＣカードアプリがＩＣカードアプリ記録部１１０に記録されていない場合や、既述のように、支払い可能な金銭情報が記録されていない場合等を判断する。
【０１３５】
ＩＣカードアプリ記録部１１０は、支払い処理を行う媒体を記録する手段の一例であって、例えば、１又は複数のＩＣカードアプリケーションプログラムが記録されている。このＩＣカードアプリ記録部１１０には、例えば、対応するＩＣカードアプリの種別毎に、利用可能な金銭情報（残金情報）等が記録されている。そして、支払い処理の実行では、選択されたＩＣカードアプリを実行させて、記録されている金銭情報の増減処理により決済を行う。
【０１３６】
特定したＩＣカードアプリ情報に対応するＩＣカードアプリが利用可能か否かの判断は、例えば、ＩＣアプリ自動選択機能部５０が行う。この判断は、例えば、ＩＣカードアプリ判断プログラム等の実行によって行う。そして、対応するＩＣカードアプリが利用できる場合には、その媒体情報をＩＣカードアプリ格納部４８に記録する。また、対応するＩＣカードアプリが利用できない場合には、例えば、そのＩＣカードアプリの媒体情報を削除すればよい。この場合、例えば、携帯電話機２０の表示部２２を利用して、取り込んだＩＣカードアプリ情報に対応するＩＣカードアプリは利用できないことを利用者に報知してもよい。
【０１３７】
次に、ＩＣカードアプリの利用可能判断を含む携帯電話機２０とＲ／Ｗ装置４０の処理について、図２０を参照する。図２０は、携帯電話機とＲ／Ｗ装置による支払い処理を示すフローチャートである。なお、図２０に示す処理内容、処理手順等は一例であって、これに限定されない。
【０１３８】
図２０に示す処理は、支払い媒体選択方法、又は支払い媒体選択プログラムの一例であって、特定したＩＣカードアプリの媒体情報に対応するＩＣカードアプリが利用可能か否かの判断処理を含む。そして、利用可能な場合には支払い処理に移行し、利用不可能な場合には、特定したＩＣカードアプリ情報は利用しない。
【０１３９】
そこで、携帯電話機２０側では、既述のようにＩＣカードアプリの特定処理を行う。例えば、カメラ等の撮像機能部４２を利用して、Ｒ／Ｗ装置４０等に提示された媒体の入力情報１２であるＩＣカードアプリのロゴマークを読み込む（ステップＳ６１）。そして、この読み込んだ媒体の入力情報１２（ロゴマーク）を利用して、ＩＣカードアプリを特定し、媒体情報を特定する（ステップＳ６２）。ＩＣカードアプリの特定処理の内容は、既述の通りである。
【０１４０】
媒体情報が特定されると、ＩＣカードアプリの利用可能か否かの判断として、例えば、この携帯電話機２０に該ＩＣカードアプリが記録されているかの判断を行う（ステップＳ６３）。例えば、ＩＣカードアプリ自動選択機能部５０により、取得したＩＣカードアプリの媒体情報と、ＩＣカードアプリ記録部１１０にあるＩＣカードアプリの種別とを比較し、一致するか否かを判断する。
【０１４１】
一致する場合（ステップＳ６３のＹＥＳ）には、例えば、特定した媒体情報をＩＣカードアプリ格納部４８に記憶させておき、支払い処理まで保持する。そして、Ｒ／Ｗ装置４０からの決済開始要求に含まれるＩＣカードアプリの問い合せ（ステップＳ６４）に対応する。
【０１４２】
支払い処理では、既述のように、携帯電話機２０をＲ／Ｗ装置４０側へとかざす（ステップＳ６５）ことで、ＩＣカード通信機能部５２からＲ／Ｗ装置４０の通信部１０２側へと支払いに利用するＩＣカードアプリの媒体情報を送信し、設定処理を行う。そして、携帯電話機２０で起動したＩＣカードアプリの支払い処理の指示がＲ／Ｗ装置４０側へと通知され、決済処理が実行される（ステップＳ６６）。
【０１４３】
また、ＩＣカードアプリ記録部１１０内に一致する媒体情報がない場合（ステップＳ６３のＮＯ）、そのＩＣカードアプリは利用できないとして、その媒体情報を破棄等して処理を終了する。
【０１４４】
このようにＩＣカードアプリが特定できない場合には、例えば、携帯電話機２０等の表示部２２を利用してその旨を利用者に対して報知するようにしてもよい。さらに、利用者が新たなＩＣカードアプリの特定を希望する場合には、再度ステップＳ６１へと戻るようにしてもよい。
【０１４５】
なお、複数のＩＣカードアプリの媒体情報を特定する場合には、例えば、ステップＳ６３の判断を行った後、再度ステップＳ６１の読み込み処理に戻るようにしてもよい。そして、全てのＩＣカードアプリの特定が終了すれば、支払い処理（ステップＳ６４〜Ｓ６６）に移行すればよい。
【０１４６】
また、上記のように複数のＩＣカードアプリを特定する場合には、既述のように、優先度を設定すればよい。
【０１４７】
斯かる構成によれば、上記実施の形態と同様に、ＩＣカードアプリの情報を取り込むことで、使用したいＩＣカードアプリの特定、選択処理が可能となり、設定操作の省略化や支払い処理の迅速化が図られる。また、取り込んだＩＣカードアプリの情報に対して、支払い処理前に利用可能か否かの判断が行え、利用可能なＩＣカードアプリのみを設定しておくので、支払い処理段階でＩＣカードアプリの再選択や再設定をすることがなく、処理の迅速化が図られる。
【０１４８】
〔他の実施の形態〕
【０１４９】
(1) 上記実施の形態では、携帯端末装置の一例として、携帯電話機２０を示したが、これに限られるものではない。本開示の携帯端末装置、支払い媒体選択方法、又は支払い媒体選択プログラムは、例えば、媒体情報取得機能、媒体情報特定機能、媒体情報格納機能、通信機能、媒体情報選択機能等を備えればよい。そこで、例えば、ＩＣカード機能を搭載し、撮影機能等を備え、１又は複数のＩＣカードアプリを格納した携帯情報端末機（ＰＤＡ：Personal Digital Assistant）２００（図２１、図２２）を利用してもよい。
【０１５０】
このＰＤＡ２００は、図２１に示すように、前面側には、表示部２０２、操作部２０４を備えている。そして、例えば、提示されているＩＣカードアプリのロゴマークをカメラ２０８（図２２）を利用して表示部２０２内に設定された特定枠２０６に捉え、又は撮影することでＩＣカードアプリの情報の取り込みを行えばよい。
【０１５１】
また、ＰＤＡ２００の背面側には、図２２に示すように、既述のカメラ２０８、ＩＣチップ等で構成されたＩＣカード通信部２１０が備えられている。これにより、ＩＣカード通信部２１０を支払い装置であるＲ／Ｗ装置４０側へとかざす等、接近させることで通信し、特定したＩＣカードアプリの媒体情報の通知、支払い指示等のやり取りを行えばよい。斯かる構成によっても、上記実施の形態と同様に、上記目的を達成することができる。
【０１５２】
(2) 上記実施の形態では、ＩＣカードアプリの媒体の入力情報１２としてロゴマークを利用しており、ＩＣカードアプリの媒体情報の特定として、例えば、ロゴマークの外形とＩＣカードアプリの種別パターンとの照合を挙げたが、これに限られない。例えば、ＩＣカードアプリの情報として、図２３に示すように、バーコード（Bar Code）２２０｛図２３の（Ａ）｝や、ＱＲコード（Quick Response）２３０｛図２３の（Ｂ）｝等を利用してもよい。
【０１５３】
即ち、これらのバーコード２２０やＱＲコード２３０には、コンピュータが認識可能な情報が記録されており、バーコード２２０やＱＲコード２３０を携帯端末装置２のカメラを利用し、図５に示すように、表示部２２の特定枠２８内に入るように取り込むことで、ＩＣカードアプリの媒体情報を特定するようにしてもよい。斯かる構成によっても、上記実施の形態と同様の効果を得ることができる。
【０１５４】
(3) 上記実施の形態では、ＩＣカードアプリの媒体情報として、ＩＣカードアプリのロゴマーク、バーコード、ＱＲコード等の画像情報を利用しているが、これに限られない。例えば、音声情報を利用してもよい。即ち、ＩＣカードアプリの名称等を媒体の入力情報１２とし、ＩＣカードアプリ種別パターン情報ＤＢ４６には、例えば、音声パターンを記録させておく。そして、例えば、利用者が携帯端末装置２のマイクロフォンにＩＣカードアプリの名称等を発音することで、音声パターン照合によりＩＣカードアプリを特定するようにすればよい。斯かる構成によっても、上記実施の形態と同様の効果が得られる。
【０１５５】
(4) 上記実施の形態では、携帯端末装置２のＩＣカードアプリに対する支払い装置として、例えば、店舗等に設置された専用端末であるＲ／Ｗ装置４０を示したが、これに限られない。例えば、ＰＣ（Personal Computer ）等に搭載され、又は既設のＲ／Ｗ装置を利用してもよい。この場合、例えば、Ｗｅｂサイト上での支払い処理において、携帯端末装置２は、ＰＣの画面上に表示したＩＣカードアプリの媒体の入力情報１２を取り込み、使用するＩＣカードアプリ情報を特定して、Ｒ／Ｗ装置４０との間で支払い処理を行えばよい。
【０１５６】
(5) 上記実施の形態では、支払い処理以前に予め複数種類のＩＣカードアプリの媒体情報を特定し、媒体情報テーブル３４（図６）を作成する場合を示しているが、これに限られず、１種類のＩＣカードアプリのみを特定し、支払い処理を実行するようにしてもよいことは言うまでもない。そして、例えば、選択したＩＣカードアプリが利用できないと判断された場合、携帯電話機２０、又はＲ／Ｗ装置４０側において利用者に対して、その旨の報知や、再度ＩＣカードアプリの種別の選択処理（ステップＳ２１〜）を促す報知をすればよい。
【０１５７】
(6) 上記実施の形態では、特定したＩＣカードアプリの優先度は、画像情報の取り込み順を基準に自動設定する場合を示したが、これに限られない。例えば、特定した媒体情報に対応するＩＣカードアプリについて、記録されている金額の多少や使用頻度、使用履歴等を基準に利用者が任意に優先度を設定するようにしてもよい。そして、支払い処理において、設定された優先度情報に応じてＩＣカードアプリの媒体情報を選択するようにしてもよい。
【０１５８】
(7) 上記実施の形態では、携帯端末装置内に支払いに利用するＩＣカードアプリが記録されている構成例を示したがこれに限られない。媒体の入力情報１２を取り込み、その媒体情報を特定する機能、支払い処理段階において媒体情報を選択する機能、支払い装置側に媒体情報を通知する機能を備える構成であればよい。即ち、既述の各機能により支払い装置側に対して、特定したＩＣカードアプリの媒体情報を通知し、係るＩＣカードアプリでの支払い（決済）処理の設定を行わせる。そして、支払い処理では、携帯端末装置から独立したＩＣカードを利用して支払い処理を行ってもよい。斯かる構成によれば、支払い装置側に対し、利用する媒体情報の設定指示が自動で行えるので、支払い処理の迅速化や設定操作の簡略化が図られる。
【０１５９】
次に、以上述べた実施の形態に関し、更に以下の付記を開示する。以下の付記に本発明が限定されるものではない。
【０１６０】
（付記１）  取扱い可能な媒体の情報を取得する媒体情報取得部と、
前記媒体情報取得部で取得した前記情報に基づき、媒体情報を特定する媒体情報特定部と、
前記媒体情報特定部で特定された前記媒体情報を無線により支払い装置に通知する通知部と、
を備えることを特徴とする、携帯端末装置。
【０１６１】
（付記２）  更に、前記媒体情報特定部で特定された単一又は複数の前記媒体情報を格納する媒体情報格納部と、
前記媒体情報格納部にある前記媒体情報から支払いに用いる媒体情報を選択し、前記通知部に提供する媒体情報選択部と、
を備えることを特徴とする、付記１記載の携帯端末装置。
【０１６２】
（付記３）  前記媒体情報取得部は、前記情報を画像によって取得する撮像手段、前記情報を音声によって取得する音声取得手段のいずれかであることを特徴とする、付記１記載の携帯端末装置。
【０１６３】
（付記４）  前記媒体情報格納部に前記媒体情報とともに優先度を表す優先度情報を格納し、前記媒体情報選択部は、前記優先度情報に応じて媒体情報を選択することを特徴とする、付記２記載の携帯端末装置。
【０１６４】
（付記５）  前記媒体情報選択部は、前記支払い装置から通知された取扱い可能な媒体の情報に基づき、前記媒体情報格納部にある媒体情報を選択することを特徴とする、付記２記載の携帯端末装置。
【０１６５】
（付記６）  取扱い可能な媒体の情報を取得するステップと、
取得した前記情報に基づき、媒体情報を特定するステップと、
特定された前記媒体情報を無線により支払い装置に通知するステップと、
を含むことを特徴とする支払い媒体選択方法。
【０１６６】
（付記７）  更に、特定された単一又は複数の前記媒体情報を媒体情報格納手段に格納するステップと、
前記媒体情報格納手段にある前記媒体情報から支払いに用いる媒体情報を選択するステップと、
を含むことを特徴とする、付記６記載の支払い媒体選択方法。
【０１６７】
（付記８）  携帯端末装置に搭載されたコンピュータによって実行される支払い媒体選択プログラムであって、
取扱い可能な媒体の情報を取得する機能と、
取得した前記情報に基づき、媒体情報を特定する機能と、
特定された前記媒体情報を無線により支払い装置に通知する機能と、
を前記コンピュータで実現させることを特徴とする支払い媒体選択プログラム。
【０１６８】
（付記９）  更に、特定された単一又は複数の前記媒体情報を媒体情報格納手段に格納する機能と、
前記媒体情報格納手段にある前記媒体情報から支払いに用いる媒体情報を選択する機能と、
を含むことを特徴とする、付記８記載の支払い媒体選択プログラム。
【０１６９】
以上説明したように、携帯端末装置、支払い媒体選択方法又は支払い媒体選択プログラムの実施の形態について説明したが、本発明は、上記記載に限定されるものではなく、特許請求の範囲に記載され、又は発明を実施するための形態に開示された発明の要旨に基づき、当業者において様々な変形や変更が可能であることは勿論であり、斯かる変形や変更が、本発明の範囲に含まれることは言うまでもない。
【産業上の利用可能性】
【０１７０】
本開示の携帯端末装置、支払い媒体選択方法又は支払い媒体選択プログラムによれば、ロゴマークの画像等を媒体の情報として取り込み、使用するＩＣカードを示す媒体情報を特定する。そして支払い装置側に対してこの媒体情報を通知することで、特定したＩＣカードでの支払いを可能に設定する。これにより、設定操作の簡略化、支払い処理の迅速化を図ることができ、有用である。
【符号の説明】
【０１７１】
２  携帯端末装置
４  携帯端末装置の機能部
６  媒体情報取得部
８  媒体情報特定部
１０  通知部
１２  媒体の入力情報
１４  支払い装置
１６  媒体情報格納部
１８  媒体情報選択部
２０  携帯電話機
２２  表示部
２６  ロゴマーク
２８  特定枠
３４  媒体情報テーブル
３８  優先度情報欄
４０  Ｒ／Ｗ装置
４２  撮像機能部
４４  ＩＣカードアプリ決定部
４６  ＩＣカードアプリ種別パターン情報データベース
４８  ＩＣカードアプリ格納部
５０  ＩＣカードアプリ自動選択機能部
５２  ＩＣカード通信機能部
６４  ＩＣカード通信部
８６  無線部
１０２  通信部
１０４  制御部
１０６  決済管理部
１１０  ＩＣカードアプリ記録部
【図１】
2011108150.tif 000003
【図２】
2011108150.tif 000004
【図３】
2011108150.tif 000005
【図４】
2011108150.tif 000006
【図５】
2011108150.tif 000007
【図６】
2011108150.tif 000008
【図７】
2011108150.tif 000009
【図８】
2011108150.tif 000010
【図９】
2011108150.tif 000011
【図１０】
2011108150.tif 000012
【図１１】
2011108150.tif 000013
【図１２】
2011108150.tif 000014
【図１３】
2011108150.tif 000015
【図１４】
2011108150.tif 000016
【図１５】
2011108150.tif 000017
【図１６】
2011108150.tif 000018
【図１７】
2011108150.tif 000019
【図１８】
2011108150.tif 000020
【図１９】
2011108150.tif 000021
【図２０】
2011108150.tif 000022
【図２１】
2011108150.tif 000023
【図２２】
2011108150.tif 000024
【図２３】
2011108150.tif 000025